(57)【特許請求の範囲】
【請求項１】
クラウドセンターと、
識別コードが付され、コントローラ及び低周波通信通報器を含み、前記コントローラは前記低周波通信通報器に電気的に接続し、前記低周波通信通報器によって識別コードを送信するターゲット装置と、
第一モニタリングモジュール、第一低周波通信モジュール及び第一ネットワーク通信モジュールを含み、前記第一モニタリングモジュールは前記第一低周波通信モジュール及び前記第一ネットワーク通信モジュールに電気的に接続し、前記第一ネットワーク通信モジュールによって前記クラウドセンターに接続し、前記第一モニタリングモジュールは前記ターゲット装置の前記識別コードに基づき、前記クラウドセンターにターゲットアカウントデータベースを登録し、前記ターゲットアカウントデータベースにターゲット装置のステータス情報を設定するホスト装置と、
第二モニタリングモジュール、第二低周波通信モジュール、第二ネットワーク通信モジュール及びＧＰＳ測位器を含み、前記第二モニタリングモジュールは前記第二低周波通信モジュール、前記第二ネットワーク通信モジュール及び前記ＧＰＳ測位器に電気的に接続し、所在地を突き止めて所在地情報を生成し、前記第二ネットワーク通信モジュールによって前記クラウドセンターに接続する複数の捜索追跡装置と、
を包括し、前記ターゲット装置は前記低周波通信通報器によって、前記ホスト装置の前記第一低周波通信モジュール或いは前記捜索追跡装置の前記第二低周波通信モジュールと接続するターゲット捜索システムであって、
前記ターゲット装置の前記低周波通信通報器が前記捜索追跡装置の前記第二低周波通信モジュールと接続すると、前記捜索追跡装置は前記ターゲット装置から送信された前記識別コードを受信し、前記捜索追跡装置の前記第二モニタリングモジュールで前記クラウドセンターの前記ターゲットアカウントデータベースにログインを行って前記ターゲット装置の前記ステータス情報を問い合わせ、
前記捜索追跡装置の前記第二モニタリングモジュールで問い合わせた前記ターゲット装置の前記ステータス情報が探索状態であれば、前記捜索追跡装置は、前記クラウドセンターに前記ターゲット装置の前記所在地情報及び前記識別コードを受信した時間を送信し、
前記捜索追跡装置の前記第二モニタリングモジュールで問い合わせた前記ターゲット装置の前記ステータス情報がノーマル情報であれば、前記捜索追跡装置は、前記クラウドセンターに前記所在地情報及び前記時間を送信しないことを特徴とするターゲット捜索システム。
【請求項２】
前記ターゲット装置の前記低周波通信通報器が、前記ホスト装置の前記第一低周波通信モジュールと接続した場合、前記ホスト装置は前記ターゲット装置から送信された前記識別コードを受信し、前記ホスト装置の前記第一モニタリングモジュールは前記ターゲット装置の前記識別コードを突き止めることで、特定のターゲット装置に対してモニタリングを行うことを特徴とする請求項１に記載のターゲット捜索システム。
【請求項３】
前記ホスト装置の前記第一モニタリングモジュールが、前記クラウドセンターの前記ターゲットアカウントデータベースに前記ターゲット装置の前記ステータス情報を警戒状態と設定していた場合、同時に前記ターゲット装置が置かれている地点を警戒位置として入力し、前記捜索追跡装置が前記ターゲット装置から送信された前記識別コードを受信した際、前記捜索追跡装置の前記第二モニタリングモジュールは受信した前記ターゲット装置の前記識別コードに基づき、前記クラウドセンターの前記ターゲットアカウントデータベースにログインをし、前記ターゲット装置の前記ステータス情報が前記警戒状態であることと入力されている警戒位置とを確認し、前記所在地情報と前記警戒位置とが同じであるかどうかを確認し、もし前記所在地情報が前記警戒位置と異なる場合、前記所在地情報及び／或いは前記識別コードを受信した時間を前記クラウドセンターに報告することを特徴とする請求項１に記載のターゲット捜索システム。
【請求項４】
前記ホスト装置の前記第一モニタリングモジュールが、前記クラウドセンターの前記ターゲットアカウントデータベースに前記ターゲット装置のステータス情報をモニタリング或いは捜索状態と設定していた場合、前記捜索追跡装置が前記ターゲット装置から送信された前記識別コードを受信した際、前記捜索追跡装置の前記第二モニタリングモジュールは前記受信したターゲット装置の前記識別コードに基づき、前記クラウドセンターの前記ターゲットアカウントデータベースにログインをし、前記ターゲット装置の前記ステータス情報が前記モニタリング或いは捜索状態であることを確認し、前記捜索追跡装置の前記第二モニタリングモジュールが自主的に所在地情報及び識別コードを受信した時間をクラウドセンターに報告することを特徴とする請求項１に記載のターゲット捜索システム。
【請求項５】
前記ホスト装置の前記第一モニタリングモジュールが、前記クラウドセンターの前記ターゲットアカウントデータベースに連絡情報を入力することで、前記ターゲット装置の前記ステータス情報が捜索状態となる際、前記捜索追跡装置の前記第二モニタリングモジュールは、前記クラウドセンターの前記ターゲットアカウントデータベースにログインし、連絡情報を確認して連絡を行うことを特徴とする請求項４に記載のターゲット捜索システム。
【請求項６】
前記第一モニタリングモジュール及び前記第二モニタリングモジュールは、それぞれアプリケーションプログラムであることを特徴とする請求項１に記載のターゲット捜索システム。
【請求項７】
前記低周波通信通報器、前記第一低周波通信モジュール及び前記第二低周波通信モジュールは、短距離の通信モジュールであって、ブルートゥース（登録商標）通信素子或いはＺｉｇＢｅｅ（登録商標）通信素子を用いることを特徴とする請求項１に記載のターゲット捜索システム。
【請求項８】
前記第一ネットワーク通信モジュール及び前記第二ネットワーク通信モジュールは、長距離の通信モジュールであって、３Ｇ／４Ｇ通信素子或いはＷｉ−Ｆｉ（登録商標）通信素子を用いることを特徴とする請求項１に記載のターゲット捜索システム。
【請求項９】
前記ターゲット装置の外形を首輪、ブレスレット、腕時計、バッジ或いはアクセサリとして製作することを特徴とする請求項１に記載のターゲット捜索システム。
【請求項１０】
クラウドセンターと、識別コードが付されたターゲット装置と、ホスト装置と、ＧＰＳ測位器で所在地情報を測位する捜索追跡装置とを包括し、前記ホスト装置及び前記捜索追跡装置は、それぞれ長距離の通信モジュールによって前記クラウドセンターに接続し、前記ターゲット装置は、短距離の低周波通信モジュールによって前記ホスト装置或いは前記捜索追跡装置に接続するターゲット捜索システムに応用するターゲット捜索方法であって、
前記ホスト装置が前記ターゲット装置の前記識別コードに基づき、前記クラウドセンターにターゲットアカウントデータベースを登録し、
前記ホスト装置が前記ターゲット装置のステータス情報を前記クラウドセンターのターゲットアカウントデータベースに設定し、
前記ターゲット装置が前記識別コードを前記ホスト装置或いは前記捜索追跡装置に送信し、
前記捜索追跡装置が前記ターゲット装置から前記識別コードを受信すると、前記ターゲット装置の識別コードに基づき、前記クラウドセンターの前記ターゲットアカウントデータベースでターゲット装置のステータス情報を確認し、
前記捜索追跡装置が前記ターゲット装置のステータス情報を問い合わせて前記ステータス情報が探索状態であれば、前記捜索追跡装置は、前記クラウドセンターに前記ターゲット装置の前記所在地情報及び前記識別コードを受信した時間を送信し、
前記捜索追跡装置が前記ターゲット装置のステータス情報を問い合わせて前記ステータス情報がノーマル情報であれば、前記捜索追跡装置は、前記クラウドセンターに前記所在地情報及び前記時間を送信しないことを特徴とするターゲット捜索方法。
【請求項１１】
前記ターゲット装置が前記識別コードを前記ホスト装置或いは前記捜索追跡装置に送信する場合、前記ターゲット装置が周囲に前記ホスト装置が存在するか否かを捜索し、
前記ターゲット装置の周囲に前記ホスト装置が存在する場合、前記ターゲット装置は前記識別コードを前記ホスト装置に送信し、そうでない場合、前記ターゲット装置は周囲にある前記捜索追跡装置を捜索し、前記識別コードを捜索によって発見した前記捜索追跡装置に送信することを特徴とする請求項１０に記載のターゲット捜索方法。
【請求項１２】
前記ホスト装置が、前記クラウドセンターの前記ターゲットアカウントデータベースにおいて、前記ターゲット装置のステータス情報を警戒状態とする場合、同時に前記ターゲット装置の警戒位置を入力することを特徴とする請求項１０に記載のターゲット捜索方法。
【請求項１３】
前記捜索追跡装置が、受信した前記ターゲット装置の前記識別コードに基づき、前記クラウドセンターの前記ターゲットアカウントデータベースにログインし、前記ターゲット装置が警戒状態であることと入力されている警戒位置とを確認し、前記捜索追跡装置が所在地情報と警戒位置とを比較し、所在地情報と警戒位置とが異なる場合、所在地情報及び／或いは識別コードを受信した時間を前記クラウドセンターに報告することを特徴とする請求項１２に記載のターゲット捜索方法。
【請求項１４】
前記ホスト装置が、前記クラウドセンターの前記ターゲットアカウントデータベースにおいて、前記ターゲット装置のステータス情報をモニタリング或いは捜索状態とする場合、前記捜索追跡装置は、前記ターゲット装置の識別コードに基づき、前記クラウドセンターの前記ターゲットアカウントデータベースにログインし、前記ターゲット装置がモニタリング或いは捜索状態であることを確認し、前記捜索追跡装置が自主的に所在地情報及び識別コードを受信した時間を前記クラウドセンターに報告することを特徴とする請求項１０に記載のターゲット捜索方法。
【請求項１５】
前記ホスト装置が、前記クラウドセンターの前記ターゲットアカウントデータベースに連絡情報を入力することで、前記ターゲット装置のステータス情報が捜索状態となる場合、前記捜索追跡装置は、前記クラウドセンターの前記ターゲットアカウントデータベースにログインし、連絡情報を確認して連絡を行うことを特徴とする請求項１４に記載のターゲット捜索方法。
【発明の詳細な説明】
【技術分野】
【０００１】
本発明は、ターゲット捜索システム及びその捜索方法、特にターゲットのモニタリング及びターゲットの行動経路の捜索及び追跡を行う捜索システム及びその捜索方法に関するものである。
【背景技術】
【０００２】
日常生活において、よい生活習慣を有していないためか、人によっては鍵等の物品を無作為に放置していることがある。その後、これ等の物品を必要とする時なって、度々物品を探すために多くの貴重な時間を費やし、生活する上で人々を悩ましている。
【０００３】
探している物品を容易に捜し出すため、物品上にブルートゥース（登録商標）等の短距離無線通信素子を有するサーチャーを設置することもできる。ユーザは携帯電話によって短距離無線信号をサーチャーに発送し、サーチャーは短距離無線信号を受信するとこれに応答するため、ユーザは捜している物品の所在位置を検索することができる。しかし、サーチャーと携帯電話との距離がブルートゥース（登録商標）の通信範囲を超えた場合、ユーザの携帯電話はサーチャーを操作することができなくなり、サーチャーの効果を発揮することができなくなる。そのため、従来、この短距離のサーチャーは静的物品の捜索に適しているとされている。
【０００４】
また、ペットを飼ったことのある人なら経験したことがあるはずだが、飼い主が散歩或いはハイキングに出かけた際にペットを同伴した場合、ペットは新しい環境に触れ、しばしば好奇心に駆られ動き回りたい様子を呈し、特に公園や道路等の広々とした環境下において走り回り易く、飼い主が随時ペットの動向を注意していないと、飼い主の視線から離れ、ペットが迷子になる恐れがある。また、家族の者が子供或いは認知症の年配者を連れて出かけた際、しばしば子供或いは年配者が任意に歩き回り、家族の者の視線から離れることがある。子供或いは認知症の年配者は、はっきりと自分のことを話すことができないため、迷子になると、捜索上の困難が増加する。
【０００５】
ペット、子供或いは認知症の年配者の迷子を防ぐため、従来は、ＧＰＳ等のポジショニング素子及びＧＳＭ（登録商標）等の長距離無線通信素子を有するモニタリング機器をペット、子供或いは認知症の年配者に装備している。ペット、子供或いは認知症の年配者が迷子になった場合、飼い主或いは家族の者は携帯電話が受信するモニタリング機器から送信される位置信号によってペット、子供或いは認知症の年配者の位置を突き止め、見つけ出すことができる。このモニタリング機器を用いれば、確かにペット、子供或いは認知症の年配者の行方を長距離でモニタリングできるものの、これ等ＧＰＳ素子及びＧＳＭ素子を有するモニタリング機器を用いて迷子防止ツールとすると、高いコストがかかるだけでなく、ＧＰＳ及びＧＳＭに関わる機能のモジュールはかなりの出力がかかるため、使用中に出力がなくなり、その作用が失い、モニタリングが継続できないという窮地に陥り易い。また、従来、ペット、子供或いは認知症の年配者が迷子になった場合、多くの人手を用いて捜索しなくてはならず、この期間中、家族の者及び飼い主は憂慮、自責の念を抱くこととなる。
【０００６】
これ等を鑑み、本発明は、子供、年配者、ペット或いは乗用車等のターゲットに対してモニタリングを行うだけでなく、ターゲットを見失う確率を低減し、また、ターゲットを見失った際、ターゲットの行動経路の捜索及び追跡によって迅速にターゲットを見つけ出すことができるターゲット捜索システム及びその捜索方法を提供することを目的としている。
【発明の概要】
【発明が解決しようとする課題】
【０００７】
本発明の目的の一つは、クラウドセンターと、ターゲット上に設置するターゲット装置と、ホスト装置と、所在地情報を突き止める捜索追跡装置とを包括するターゲット捜索システム及びその捜索方法を提供することであって、そのうち、ターゲット装置には識別コードが付され、ホスト装置は、このターゲット装置の識別コードに基づき、クラウドセンターにターゲットアカウントデータベースを登録し、ターゲットアカウントデータベースにおいて、ターゲット装置のステータス情報を設定しており、また、捜索追跡装置は、短距離の通信モジュールによりターゲット装置と通信を行った場合、ターゲット装置から送信された識別コードを受信し、クラウドセンターにログインしてターゲット装置のステータス情報を検索し、且つターゲット装置のステータス情報に基づき、クラウドセンターに所在地情報及び／或いは識別コードを受信した時間を報告するか否かの判断を行っている。このため、ホスト装置のユーザは、捜索追跡装置が発見した所在地情報及びその時間の報告によって、ターゲット装置の行動経路を追跡することで、ターゲットを見失ったり、遺失したりした際、迅速に見つけることができる。
【０００８】
本発明の目的の一つは、ターゲット装置が移動可能なターゲット上に設置することができるターゲット捜索システム及びその捜索方法を提供することであって、そのうち、ターゲット装置がホスト装置から遠くに離れたため、ホスト装置はターゲット装置の通信可能範囲外に位置し、ターゲット装置が識別コードをホスト装置に送信できない場合、ターゲット装置は警報器を利用して警報を発生し、モニタリングを行っている者或いは周囲の人に、ターゲットの行動に対して注意を促すことで、ターゲットを見失う或いは遺失する確率を低減する。
【０００９】
本発明の目的の一つは、ターゲット装置が移動可能なターゲット上に設置することができるターゲット捜索システム及びその捜索方法を提供することであって、そのうち、捜索追跡装置がターゲット装置から送信された識別コードを受信した場合、発見したターゲット装置の所在地情報及びその時間をクラウドセンターに報告し、随時ターゲットの行方を追跡及びモニタリングすることで、迅速にターゲットを見つけることができる。
【００１０】
本発明の目的の一つは、ターゲット装置が移動可能なターゲット上に設置することができ、ターゲットの持主がホスト装置によって、クラウドセンターのターゲットアカウントデータベースに、ターゲット装置のステータス情報を警戒状態と設定し、同時にターゲットが置かれている地点を警戒位置として入力することができるターゲット捜索システム及びその捜索方法を提供することであって、そのうち、ターゲットの現在の所在地情報と書き込まれた警戒位置とが異なる場合、捜索追跡装置は、クラウドセンターにターゲット装置の所在地情報及び識別コードを受信した時間を報告し、これによって、行動を制限しているターゲットに対して追跡及びモニタリングを行う。
【００１１】
本発明の目的の一つは、ホスト装置が連絡情報をクラウドセンターのターゲットアカウントデータベースに入力することができるターゲット捜索システム及びその捜索方法を提供することであって、そのうち、捜索追跡装置がターゲット装置の識別コードによって見失っている或いは遺失している状態のターゲット装置を発見した場合、連絡情報を利用して持主或いはこれに関係する管理者に連絡する。
【００１２】
本発明の目的の一つは、ターゲット装置が低周波の通信通報器を用いてホスト装置或いは捜索追跡装置と通信を行っているため、ターゲット装置の出力が抑えられ、低出力の効果が達成するターゲット捜索システム及びその捜索方法を提供することであって、そのうち、ターゲットを見失った或いは遺失した際、ターゲット装置の出力が早々になくなりターゲットの追跡が困難になるということを防ぐ。
【課題を解決するための手段】
【００１３】
上述の目的を達成するため、本発明は、クラウドセンターと、識別コードが付され、コントローラ及び低周波通信通報器を含み、コントローラは低周波通信通報器に電気的に接続し、低周波通信通報器によって識別コードを送信するターゲット装置と、第一モニタリングモジュール、第一低周波通信モジュール及び第一ネットワーク通信モジュールを含み、第一モニタリングモジュールは第一低周波通信モジュール及び第一ネットワーク通信モジュールに電気的に接続し、第一ネットワーク通信モジュールによってクラウドセンターに接続し、第一モニタリングモジュールはターゲット装置の識別コードに基づき、クラウドセンターにターゲットアカウントデータベースを登録し、ターゲットアカウントデータベースにターゲット装置のステータス情報を設定するホスト装置と、第二モニタリングモジュール、第二低周波通信モジュール及び第二ネットワーク通信モジュールを含み、所在地を突き止めて所在地情報を生成し、第二モニタリングモジュールは第二低周波通信モジュール及び第二ネットワーク通信モジュールに電気的に接続し、第二ネットワーク通信モジュールによってクラウドセンターに接続する複数の捜索追跡装置と、を包括し、ターゲット装置は低周波通信通報器によって、ホスト装置の第一低周波通信モジュール或いは捜索追跡装置の第二低周波通信モジュールと接続するターゲット捜索システムであって、そのうち、ターゲット装置の低周波通信通報器が捜索追跡装置の第二低周波通信モジュールと接続すると、捜索追跡装置はターゲット装置から送信された識別コードを受信し、捜索追跡装置の第二モニタリングモジュールでクラウドセンターのターゲットアカウントデータベースにログインを行ってターゲット装置のステータス情報を検索し、ターゲット装置のステータス情報に基づき、クラウドセンターに所在地情報及び／或いは識別コードを受信した時間を報告するか否かの判断を行っている。
【００１４】
本発明の一実施例において、ターゲット装置の低周波通信通報器がホスト装置の第一低周波通信モジュールと接続した場合、ホスト装置はターゲット装置から送信された識別コードを受信し、ホスト装置の第一モニタリングモジュールはターゲット装置の識別コードを突き止めることで、特定のターゲット装置に対してモニタリングを行っている。
【００１５】
本発明の一実施例において、ホスト装置の第一モニタリングモジュールがクラウドセンターのターゲットアカウントデータベースにターゲット装置のステータス情報を警戒状態と設定していた場合、同時にターゲットが置かれている地点を警戒位置として入力し、捜索追跡装置がターゲット装置から送信された識別コードを受信した際、捜索追跡装置の第二モニタリングモジュールは受信したターゲット装置の識別コードに基づき、クラウドセンターのターゲットアカウントデータベースにログインをし、ターゲット装置のステータス情報が警戒状態であることと入力されている警戒位置とを確認し、所在地情報と警戒位置とが同じであるかどうかを確認し、もし所在地情報が警戒位置と異なる場合、クラウドセンターに報告を行っている。
【００１６】
本発明の一実施例において、ホスト装置の第一モニタリングモジュールがクラウドセンターのターゲットアカウントデータベースにターゲット装置のステータス情報をモニタリングしている、見失っている或いは遺失している状態と設定していた場合、捜索追跡装置がターゲット装置から送信された識別コードを受信した際、捜索追跡装置の第二モニタリングモジュールは受信したターゲット装置の識別コードに基づき、クラウドセンターのターゲットアカウントデータベースにログインをし、ターゲット装置のステータス情報がモニタリングしている、見失っている或いは遺失している状態であることを確認し、捜索追跡装置の第二モニタリングモジュールが自主的に所在地情報をクラウドセンターに報告している。
【００１７】
本発明の一実施例において、ホスト装置の第一モニタリングモジュールがクラウドセンターのターゲットアカウントデータベースに連絡情報を入力することで、ターゲット装置のステータスが見失っている或いは遺失している状態とする際、捜索追跡装置の第二モニタリングモジュールは、クラウドセンターのターゲットアカウントデータベースにログインし、連絡情報を確認して連絡を行っている。
【００１８】
本発明の一実施例において、捜索追跡装置は、位置認識モジュールをさらに包括し、位置認識モジュールは第二モニタリングモジュールに電気的に接続することで、突き止めた場所の所在地情報を生成している。
【００１９】
本発明の一実施例において、位置認識モジュールは、ＧＰＳ測位器である。
【００２０】
本発明の一実施例において、捜索追跡装置を固定地点に設け、その位置情報を所在地情報としている。
【００２１】
本発明の一実施例において、第一モニタリングモジュール及び第二モニタリングモジュールは、それぞれアプリケーションプログラムである。
【００２２】
本発明の一実施例において、低周波通信通報器、第一低周波通信モジュール及び第二低周波通信モジュールは、短距離の通信モジュールであって、ブルートゥース（登録商標）通信素子或いはＺｉｇＢｅｅ（登録商標）通信素子を用いている。
【００２３】
本発明の一実施例において、第一ネットワーク通信モジュール及び第二ネットワーク通信モジュールは、長距離の通信モジュールであって、３Ｇ／４Ｇ通信素子或いはＷｉＦi（登録商標）通信素子を用いている。
【００２４】
本発明の一実施例において、ターゲット装置の外形を首輪、ブレスレット、腕時計、バッジ或いはアクセサリとして製作することができる。
【００２５】
また、本発明は、クラウドセンターと、識別コードが付されたターゲット装置と、ホスト装置と、所在地情報を測位する複数の捜索追跡装置とを包括し、ホスト装置及び捜索追跡装置は、それぞれ長距離の通信モジュールによってクラウドセンターに接続し、ターゲット装置は、短距離の低周波通信モジュールによってホスト装置或いは捜索追跡装置に接続するターゲット捜索システムに応用するターゲット捜索方法であって、ホスト装置がターゲット装置の識別コードに基づき、クラウドセンターにターゲットアカウントデータベースを登録する手段と、ホスト装置がターゲット装置のステータス情報をクラウドセンターのターゲットアカウントデータベースに設定する手段と、ターゲット装置が識別コードをホスト装置或いは捜索追跡装置に送信する手段と、捜索追跡装置がターゲット装置から識別コードを受信すると、ターゲット装置の識別コードに基づき、クラウドセンターのターゲットアカウントデータベースでターゲット装置のステータス情報を確認する手段と、捜索追跡装置がターゲット装置のステータス情報に基づき、所在地情報及び／或いは識別コードを受信した時間をクライドセンターに報告するか否かを判断する手段とを包括している。
【００２６】
本発明の一実施例において、ターゲット装置が識別コードをホスト装置或いは捜索追跡装置に送信する手段は、ターゲット装置が周囲にホスト装置が存在するか否かを捜索し、ターゲット装置の周囲にホスト装置が存在する場合、ターゲット装置は識別コードをホスト装置に送信し、そうでない場合、ターゲット装置は周囲にある捜索追跡装置を捜索し、識別コードを捜索によって発見した捜索追跡装置に送信する手段をさらに包括している。
【００２７】
本発明の一実施例において、ホスト装置がクラウドセンターのターゲットアカウントデータベースにおいて、ターゲット装置のステータス情報を警戒状態とする場合、同時にターゲット装置の警戒位置を入力している。
【００２８】
本発明の一実施例において、捜索追跡装置が受信したターゲット装置の識別コードに基づき、クラウドセンターのターゲットアカウントデータベースにログインし、ターゲット装置が警戒状態であることと入力されている警戒位置とを確認する手段と、捜索追跡装置が所在地情報と警戒位置とを比較し、所在地情報と警戒位置とが異なる場合、クラウドセンターに所在地情報を報告する手段とをさらに包括している。
【００２９】
本発明の一実施例において、ホスト装置がクラウドセンターのターゲットアカウントデータベースにおいて、ターゲット装置のステータス情報をモニタリングしている、見失っている或いは遺失している状態とする場合、ターゲット装置は、捜索追跡装置が受信したターゲット装置の識別コードに基づき、クラウドセンターのターゲットアカウントデータベースにログインし、ターゲット装置がモニタリングしている、見失っている或いは遺失している状態であることを確認する手段と、捜索追跡装置が自主的にクラウドセンターに所在地情報を報告する手段とをさらに包括している。
【００３０】
本発明の一実施例において、ホスト装置がクラウドセンターのターゲットアカウントデータベースに連絡情報を入力することで、ターゲット装置のステータス情報が見失っている或いは遺失している状態とする場合、捜索追跡装置は、クラウドセンターのターゲットアカウントデータベースにログインし、連絡情報を確認して連絡を行っている。
【図面の簡単な説明】
【００３１】
【図１】本発明に係るターゲット捜索システムの一好ましい実施例を表すシステム構成模式図である。
【図２】本発明に係るホスト装置の回路構成（Ａ）、ターゲット装置の回路構成（Ｂ）及び捜索追跡装置の回路構成（Ｃ）を表す模式図である。
【図３】本発明に係るターゲット捜索方法の一好ましい実施例を表すフローチャートである。
【発明を実施するための形態】
【００３２】
図１の本発明に係るターゲット捜索システムの一好ましい実施例を表すシステム構成模式図を参照すると同時に、図２のホスト装置の回路構成（Ａ）、ターゲット装置の回路構成（Ｂ）及び捜索追跡装置の回路構成（Ｃ）を表す模式図を参照すると、ターゲット捜索システム１００のシステム構成は、クラウドセンター１０と、ホスト装置２０と、ターゲット装置３０と、例えば、捜索追跡装置（Ａ）、（Ｂ）、（Ｃ）等の複数の捜索追跡装置４０とを包括している。
【００３３】
ターゲット装置３０は、モニタリングしたいターゲットに設置することができ、そのターゲットを、例えば、子供、年配者、ペット、乗用車又は物品等の人或いは物とすることもできる。また、ターゲット装置３０の外形を、首輪、ブレスレット、腕時計、バッジ或いはアクセサリとして製作することで、ターゲットに身に着けさせることもできる。ターゲット装置３０は、コントローラ３１及び低周波通信通報器３２を含み、コントローラ３１はび低周波通信通報器３２に電気的に接続している。また、ターゲット装置３０には識別コード３４が付されており、このコードは、この装置だけにある唯一の識別コード（Ｕｎｉｑｕｅ  ＩＤ；ＵＩＤ）である。
【００３４】
ホスト装置２０は、ターゲットの家族の者、飼い主或いはモニタリングしている者が保持することができ、例えば、携帯電話、ＰＤＡ、タブレットＰＣ、ノート型ＰＣ、デスクトップ型ＰＣ等の電子通信機器とすることができる。ホスト装置２０は第一モニタリングモジュール２１、第一低周波通信モジュール２２及び第一ネットワーク通信モジュール２３を含み、第一モニタリングモジュール２１は第一低周波通信モジュール２２及び第一ネットワーク通信モジュール２３に電気的に接続している。本発明において、第一モニタリングモジュール２１はアプリケーションプログラムであって、ソフトウェアとしてホスト装置２０に設置している。ホスト装置２０のユーザは、ターゲット装置３０の識別コード３４を第一モニタリングモジュール２１に設定し、ホスト装置２０の第一モニタリング２１はターゲット装置３０の識別コード３４を突き止めることで、特定のターゲット装置３０に対してモニタリングを行っている。
【００３５】
捜索追跡装置４０は、任意の第三者或いはその他のモニタリングしている者が保持することができ、上記と同じように、電子通信機器とすることができる。捜索追跡装置４０は第二モニタリングモジュール４１、第二低周波通信モジュール４２及び第二ネットワーク通信モジュール４３を含み、第二モニタリングモジュール４１は第二低周波通信モジュール４２及び第二ネットワーク通信モジュール４３に電気的に接続している。また、第二モニタリングモジュール４１は、上記と同じように、アプリケーションプログラムであって、捜索追跡装置４０に設置している。
【００３６】
また、捜索追跡装置４０は、突き止めた所在地により所在地情報４４１を生成している。本発明の一実施例において、所在地情報４４１は第二モニタリングモジュール４１に電気的に接続する位置認識モジュール４４によって生成され、該位置認識モジュール４４はＧＰＳ測位器であってもよい。或いは、本発明のその他の一実施例において、捜索追跡装置４０を固定位置に設けた場合、該固定位置の位置情報が所在地情報４４１となる。
【００３７】
ホスト装置２０及び捜索追跡装置４０はそれぞれ第一ネットワーク通信モジュール２３及び第二ネットワーク通信モジュール４３によってクラウドセンター１０に接続されている。本発明において、第一ネットワーク通信モジュール２３及び第二ネットワーク通信モジュール４３は、長距離の通信モジュールであって、３Ｇ／４Ｇ通信素子或いはＷｉＦi（登録商標）通信素子を用いている。ターゲット装置３０は、低周波通信通報器３２によって、ホスト装置２０の第一低周波通信モジュール２２或いは捜索追跡装置４０の第二低周波通信モジュール４２と接続することで、識別コード３４をホスト装置２０或いは捜索追跡装置４０に送信している。本発明において、第一低周波通信モジュール２２、低周波通信通報器３２及び第二低周波通信モジュール４２は、短距離の通信モジュールであって、ブルートゥース（登録商標）通信素子或いはＺｉｇＢｅｅ（登録商標）通信素子を用いている。
【００３８】
さらに、図３の本発明に係るターゲット捜索方法の一好ましい実施例を表すフローチャートを参照しつつ、本発明に係るターゲット捜索システム１００の操作方法について説明すると、まず、ターゲット捜索システム１００を作動する前に、ホスト装置２０の第一モニタリングモジュール２１がターゲット装置３０の識別コード３４に基づき、クラウドセンター１０にターゲットアカウントデータベース１１を登録する手段Ｓ５０１を実施している。次に、ホスト装置２０のユーザが、実際の応用状況及びターゲットの現在状況に応じて、第一モニタリングモジュール２１を利用してターゲットアカウントデータベース１１にターゲット装置３０のステータス情報３０１を設定する手段Ｓ５０２を実施している。
【００３９】
次に、ターゲット捜索システム１００を作動するした後、ターゲット装置３０のコントローラ３１が、低周波通信通報器３２によって、優先的に第一モニタリングモジュール２１を設置したホスト装置２０が周囲に存在するか否かを捜索する手段Ｓ５０３を実施している。ホスト装置２０がターゲット装置３０の低周波通信通報器３２の通信範囲内にあった場合、ターゲット装置３０のコントローラ３１は、ホスト装置２０を突き止め、低周波通信通報器３２を利用してホスト装置２０の第一低周波通信モジュール２２と接続し、識別コード３４をホスト装置２０に送信している。これに対して、ホスト装置２０がターゲット装置３０の低周波通信通報器３２の通信範囲外にあった場合、ターゲット装置３０のコントローラ３１は、ホスト装置２０を突き止めることができず、ターゲット装置３０は少なくとも第二モニタリングモジュール４１を設置した捜索追跡装置４０が周囲に存在するか否かをさらに捜索している。もし、ターゲット装置３０の周囲に、例えば、捜索追跡装置（Ａ）等の捜索追跡装置４０が存在した場合、ターゲット装置３０は低周波通信通報器３２を利用して捜索追跡装置４０の第二低周波通信モジュール４２と接続し、識別コード３４を捜索追跡装置４０に送信している。
【００４０】
捜索追跡装置４０がターゲット装置３０から見知らぬ識別コード３４を受信すると、捜索追跡装置４０の第二モニタリングモジュール４１は、この見知らぬ識別コード３４に基づき、クラウドセンター１０のターゲットアカウントデータベース１１にログインし、これに対応するターゲット装置３０のステータス情報３０１を確認する手段Ｓ５０４を実施している。
【００４１】
その後、捜索追跡装置４０の第二モニタリングモジュール４１が、このターゲット装置３０のステータス情報３０１に基づき、所在地情報４４１及び／或いは識別コード３４を受信した時間４１１をクラウドセンター１０に報告するか否かを判断する手段Ｓ５０５を実施している。もし、捜索追跡装置４０が、このターゲット装置３０のステータス情報３０１に基づき、所在地情報４４１及び／或いは識別コード３４を受信した時間４１１をクラウドセンター１０に報告した場合、この報告した所在地情報４４１及び／或いは識別コード３４を受信した時間４１１をクラウドセンター１０のターゲットアカウントデータベース１１に入力している。これによって、捜索追跡装置４０が報告した所在地情報４４１及び／或いは識別コード３４を受信した時間４１１は、捜索追跡装置４０がターゲット装置３０を発見した際の所在地情報４４１及びその時間４１１となる。
【００４２】
上述のとおり、ターゲット装置３０がホスト装置２０から離れたとしても、ターゲット装置３０は周囲にある捜索追跡装置４０によって、継続的にモニタリング及び追跡を行うことができる。その後、ホスト装置２０を有する家族の者、持ち主或いはモニタリングしている者は、クラウドセンター１０より各捜索追跡装置４０が報告した所在地情報４４１及びその時間４１１を得ることができ、そこからターゲット装置３０の行動経路を知ることができるため、ターゲットを見失った或いは遺失した際は、ターゲット装置３０の行動経路により迅速にターゲットの行方を突き止めることができる。
【００４３】
さらに、さまざまな応用状況を本発明に係るターゲット捜索システム１００及びそのターゲット捜索方法の実施例として、以下のように説明する。
【００４４】
まず、本発明の一実施例として、ペットの捜索に用いることができる。飼い主はペットを連れて散歩に行く前に、首輪の外形に製作したターゲット装置３０をペットに身に着けさせ、飼い主はホスト装置２０を保持し、捜索追跡装置４０を任意の第三者に保持させる。ここで、飼い主は、ホスト装置２０の第一モニタリングモジュール２１を利用して、ターゲット装置３０の識別コード３４に基づき、クラウドセンター１０にターゲットアカウントデータベース１１を登録し、ターゲットアカウントデータベース１１にターゲット装置３０のステータス情報３０１をノーマル状態として入力する手段Ｓ５０１及びＳ５０２を実施する。
【００４５】
飼い主がペットを連れて散歩する際、ターゲット装置３０が常にホスト装置２０の周りにいた場合、ターゲット装置３０は識別コード３４をホスト装置２０に送信する。ホスト装置２０の第一モニタリングモジュール２１は、ターゲット装置３０の識別コード３４を受信した際、休止状態となって作動しない。これに対して、ターゲット装置３０がホスト装置２０より離れたことで、ホスト装置２０がターゲット装置３０の低周波通信通報器３２の通信範囲外にあるような場合、ターゲット装置３０は識別コード３４をホスト装置２０に送信することができなくなり、ターゲット装置３０はこの周囲の捜索追跡装置４０をさらに捜索し、識別コード３４を発見した捜索追跡装置４０に送信する手段Ｓ５０３を実施する。
【００４６】
また、ホスト装置２０が暫くの間ターゲット装置３０から送信される識別コード３４を受信していなかった場合、第一モニタリングモジュール２１はホスト装置２０の本体を制御してアラーム及び／或いはバイブレーションを発生させることで、飼い主にペットがモニタリングできる範囲を超していることを伝えて注意を促している。ホスト装置２０を保持する飼い主がアラーム及び／或いはバイブレーションによって喚起されると、ターゲット装置３０を身に着けたペットが本当に目視或いはモニタリングできる範囲から逸脱したかどうかを判断し、ペットが目視或いはモニタリングできる範囲から逸脱した場合、ホスト装置２０の第一モニタリングモジュール２１からクラウドセンター１０のターゲットアカウントデータベース１１にログインし、ターゲット装置３０のステータス情報３０１を捜索状態に設定する。
【００４７】
捜索追跡装置４０がターゲット装置３０から送信された識別コード３４を受信すると、ターゲット装置３０の識別コード３４に基づき、クラウドセンター１０のターゲットアカウントデータベース１１にログインし、ターゲット装置３０のステータス情報３０１を確認する手段Ｓ５０４を実施する。
【００４８】
捜索追跡装置４０がターゲット装置３０のステータス情報３０１がノーマル状態であることを確認すると、捜索追跡装置４０は作動せず、これに対して、捜索追跡装置４０がターゲット装置３０のステータス情報３０１が捜索状態であることを確認すると、捜索追跡装置４０は所在地情報４４１及び／或いは識別コード３４を受信した時間４１１をクラウドセンター１０に報告する手段Ｓ５０５を実施する。その後、飼い主は、クラウドセンター１０から捜索追跡装置４０がターゲット装置３０を発見した際の所在地情報４４１及びその時間４１１を得ることができ、そこからターゲット装置３０の行動経路を知ることができるため、ペットを見失った際は、ペットの行動経路により迅速にペットの行方を突き止めることができる。
【００４９】
本実施例において、ターゲット装置３０はコントローラ３１に電気的に接続する警報器３３をさらに包括し、警報器３３は発光素子或いはアラーム素子である。ターゲット装置３０がホスト装置２０と通信できなくなり、識別コード３４をホスト装置２０に送信できなくなった場合、コントローラ３１は警報器３３を用いて警報信号を発生させて、飼い主或いはターゲット装置３０の周囲にいる人に対して喚起を促すことで、ペットを見失う確率を低減している。
【００５０】
本発明のその他の一実施例として、子供或いは年配者に用いることができる。子供或いは年配者が一人で出かける前に、家族の者はブレスレット、腕時計或いはバッジの外形に製作したターゲット装置３０を子供或いは年配者に身に着けさせ、家族の者はホスト装置２０を保持し、各捜索追跡装置４０を任意の第三者に保持させる。ここで、家族の者は、ホスト装置２０の第一モニタリングモジュール２１を利用して、ターゲット装置３０の識別コード３４に基づき、クラウドセンター１０にターゲットアカウントデータベース１１を登録し、ターゲットアカウントデータベース１１にターゲット装置３０のステータス情報３０１をモニタリング状態として入力する手段Ｓ５０１及びＳ５０２を実施する。
【００５１】
子供或いは年配者が一人で出かけると、子供或いは年配者が身に着けているターゲット装置３０は、周囲の捜索追跡装置４０を捜索し、識別コード３４を発見した捜索追跡装置４０に送信する手段Ｓ５０３を実施する。
【００５２】
捜索追跡装置４０がターゲット装置３０から送信された識別コード３４を受信すると、ターゲット装置３０の識別コード３４に基づき、クラウドセンター１０のターゲットアカウントデータベース１１にログインし、ターゲット装置３０のステータス情報３０１を確認する手段Ｓ５０４を実施する。
【００５３】
捜索追跡装置４０がターゲット装置３０のステータス情報３０１がモニタリング状態であることを確認すると、捜索追跡装置４０は所在地情報４４１及び／或いは識別コード３４を受信した時間４１１をクラウドセンター１０に報告する手段Ｓ５０５を実施する。その後、子供或いは年配者が予定の時間に帰らず且つ連絡がつかない場合、家族の者は、クラウドセンター１０から捜索追跡装置４０がターゲット装置３０を発見した際の所在地情報４４１及びその時間４１１を得ることができ、そこから子供或いは年配者の行動経路を知ることができ、この行動経路により迅速に子供或いは年配者の行方を突き止めることができる。
【００５４】
また、子供或いは年配者が予定の時間に帰らず且つ連絡がつかない場合、ホスト装置２０を保持する家族の者は、クラウドセンター１０から子供或いは年配者の行動経路を知るだけでなく、同時にクラウドセンター１０に設定されたターゲット装置３０のステータス情報３０１を捜索状態に変更することができる。これによって、捜索追跡装置４０のユーザが捜索状態にあるターゲット装置３０の識別コード３４を受信すると、例えば、警察等の関係者に通報され、迷子の子供或いは年配者をいち早く家族のもとに戻させることができる。
【００５５】
本発明のその他の一実施例として、大型アミューズメントパークに用いることができる。入園客がアミューズメントパークに入る前に、アミューズメントパークのスタッフはブレスレットの外形に製作したターゲット装置３０を入園客に身に着けさせ、スタッフはホスト装置２０を保持し、各捜索追跡装置４０をその他のスタッフに保持させる、或いは園内の各地点にこれを設ける。ここで、スタッフは、ホスト装置２０の第一モニタリングモジュール２１を利用して、ターゲット装置３０の認別コード３４に基づき、クラウドセンター１０にターゲットアカウントデータベース１１を登録し、ターゲットアカウントデータベース１１にターゲット装置３０のステータス情報３０１をモニタリング状態として入力する手段Ｓ５０１及びＳ５０２を実施する。
【００５６】
入園客がアミューズメントパークに入ると、入園客が身に着けているターゲット装置３０は、周囲の捜索追跡装置４０を捜索し、識別コード３４を発見した捜索追跡装置４０に送信する手段Ｓ５０３を実施する。
【００５７】
捜索追跡装置４０が入園客が身に着けているターゲット装置３０から送信された識別コード３４を受信すると、ターゲット装置３０の識別コード３４に基づき、クラウドセンター１０のターゲットアカウントデータベース１１にログインし、ターゲット装置３０のステータス情報３０１を確認する手段Ｓ５０４を実施する。
【００５８】
捜索追跡装置４０がターゲット装置３０のステータス情報３０１がモニタリング状態であることを確認すると、捜索追跡装置４０は所在地情報４４１及び／或いは識別コード３４を受信した時間４１１をクラウドセンター１０に報告する手段Ｓ５０５を実施する。その後、入園客がスタッフに園内にいる家族の者或いは友人を探してほしいという問い合わせがあった場合、スタッフは、ホスト装置２０を利用して、クラウドセンター１０にログインし、家族の者或いは友人が身に着けているターゲット装置３０の行動経路及び最後に確認された園内の位置を確認することができるため、スタッフは即座に、園内にいる家族の者或いは友人の所在地を突き止めることができる。
【００５９】
本発明のその他の一実施例として、乗用車或いは移動が制限されたその他のターゲットに用いることができる。持ち主はアクセサリ或いは置物の外形に製作したターゲット装置３０を乗用車に設けさせ、持ち主はホスト装置２０を保持し、各捜索追跡装置４０を任意の第三者、又は警察に保持させる、或いは商店、ガソリンスタンド、公共機関或いは基地局等にこれを設ける。ここで、持ち主は、ホスト装置２０の第一モニタリングモジュール２１を利用して、ターゲット装置３０の認別コード３４に基づき、クラウドセンター１０にターゲットアカウントデータベース１１を登録する手段Ｓ５０１を実施する。持ち主が乗用車を駐車場所に駐車した後、ターゲット装置３０を起動させ、ホスト装置２０の第一モニタリングモジュール２１を利用して、ターゲットアカウントデータベース１１にターゲット装置３０のステータス情報３０１を警戒状態として設定すると同時に、ターゲット装置３０の例えば、乗用車の駐車地点である警戒位置３０２を入力する手段Ｓ５０２を実施する。
【００６０】
作動中のターゲット装置３０は、周囲の捜索追跡装置４０を捜索し、識別コード３４を発見した捜索追跡装置４０に送信する手段Ｓ５０３を実施する。
【００６１】
捜索追跡装置４０がターゲット装置３０から送信された識別コード３４を受信すると、ターゲット装置３０の識別コード３４に基づき、クラウドセンター１０のターゲットアカウントデーターベース１１にログインし、ターゲット装置３０のステータス情報３０１を確認する手段Ｓ５０４を実施する。捜索追跡装置４０がターゲット装置３０のステータス情報３０１が警戒状態であることを確認した場合、さらにターゲット装置３０の警戒位置３０２を確認する。
【００６２】
捜索追跡装置４０がターゲット装置３０のステータス情報３０１が警戒状態であることを確認した場合、捜索追跡装置４０は、さらにターゲット装置３０の現在の所在地情報４４１とターゲットアカウントデータベース１１に入力している警戒位置３０２とを比較して同じであるかどうかを確認する手段Ｓ５０５を実施する。ターゲット装置３０の現在の所在地情報４４１とターゲットアカウントデータベース１１に入力している警戒位置３０２とを比較して同じである場合、ターゲット装置３０を設けている乗用車が依然として元々あった場所にあることを示し、捜索追跡装置４０は作動せず、これに対して、ターゲット装置３０の現在の所在地情報４４１とターゲットアカウントデータベース１１に入力している警戒位置３０２とを比較して異なる場合、ターゲット装置３０を設けている乗用車が移動していることを示し、捜索追跡装置４０は所在地情報４４１及び／或いは識別コード３４を受信した時間４１１をクラウドセンター１０に報告する。
【００６３】
本実施例において、クラウドセンター１０は、捜索追跡装置４０が報告した所在地情報４４１及び／或いは識別コード３４を受信した時間４１１を受信すると、乗用車が移動したことが分かり、ショートメッセージ或いは電話による通知を利用して、乗用車が盗まれた可能性があることを持ち主に伝え、注意を促す。持ち主はこの通知を受け、乗用車の駐車地点まで確認に行き、乗用車が確かに盗まれた場合、持ち主はホスト装置２０を利用してクラウドセンター１０にログインし、ターゲット装置３０のステータス情報３０１を遺失状態に変更することができる。また、持ち主はクラウドセンター１０より捜索追跡装置４０がターゲット装置３０を発見した際の所在地情報４４１及びその時間４１１を得ることができ、そこから乗用車の行動経路を知ることができるため、この乗用車の行動経路により警察の協力の元、盗まれた乗用車を迅速に見つけ出すことができる。
【００６４】
上述で挙げられる四つの応用状況は、本発明の一部の実施例に過ぎず、当該分野を熟知した者であれば、容易に知り得るものであって、本発明に係るシステム及びその方法は、広範囲に応用が可能なもので、重複して説明するものでない。
【００６５】
また、本発明の一実施例において、ホスト装置２０の第一モニタリングモジュール２１がターゲット装置３０のステータス情報３０１を捜索状態に設定した場合、ペット、子供、年配者或いは乗用車等のターゲットの例えば、写真等の外観的特徴情報３０３、及び／或いは、例えば、電話番号或いはメールアドレス等の連絡情報３０４を、クラウドセンター１０のターゲットアカウントデータベース１１にさらに入力することもできる。これによって、捜索追跡装置４０の第二モニタリングモジュール４１がターゲット装置３０の識別コード３４を受信すると、クラウドセンター１０のターゲットアカウントデータベース１１に入力されている外観的特徴情報３０３によって見失った或いは遺失したターゲットを比較し、ターゲットの発見を確認した後、連絡情報３０４を利用してターゲットの家族の者或いは持ち主に連絡することで、迅速にターゲットの家族の者或いは持ち主の元に戻ることができる。
【００６６】
また、本発明に係るターゲット装置３０は低周波通信通報器３２を利用してホスト装置２０或いは捜索追跡装置４０と通信を行っているため、ターゲット装置３０の出力が抑えられ、低出力の効果を達成しており、ターゲットを見失った或いは遺失した際、ターゲット装置３０の出力が早々になくなり、ターゲットの追跡が困難になるということを防いでいる。
【００６７】
以上のことから、本発明は、いろいろな場所に分布している各捜索追跡装置４０を利用して、ターゲット装置３０の所在地情報４４１及びその時間４１１を突き止めて、ターゲットの行動経路を用いてモニタリングを行うことによって、ターゲットが見失ったり遺失したりした際に迅速にターゲットの行方を突き止めることができる。また、捜索追跡装置４０は、ターゲット装置３０の所在地情報４４１及びその時間４１１を突き止めるだけでなく、見失ったり遺失したりしたターゲットに対して、外観的特徴情報３０３の比較を行うことができ、比較の結果、見失った或いは遺失したターゲットであることが確認されると、連絡情報３０４を利用して自主的にターゲットの家族の者或いは持ち主に連絡することで、迅速にターゲットの家族の者或いは持ち主の元に戻ることができ、ターゲットの捜索という目的を達せすることができる。
【００６８】
なお、上述したものは、本発明の一好ましい実施例に過ぎず、本発明の範囲を限定するものではなく、本発明に係る特許請求の範囲で述べている形状、構造、特徴、方法及びその精神による変化及び修正は、本発明に係る特許請求の範囲に属するものである。
【符号の説明】
【００６９】
１００        ターゲット捜索システム
１０          クラウドセンター
１１          ターゲットアカウントデータベース
２０          ホスト装置
２１          第一モニタリングモジュール
２２          第一低周波通信モジュール
２３          第一ネットワーク通信モジュール
３０          ターゲット装置
３０１        ステータス情報
３０２        警戒位置
３０３        外観的特徴情報
３０４        連絡情報
３１          コントローラ
３２          低周波通信通報器
３３          警報器
３４          識別コード
４０          捜索追跡装置
４１          第二モニタリングモジュール
４１１        時間
４２          第二低周波通信モジュール
４３          第二ネットワーク通信モジュール
４４          位置認識モジュール
４４１        所在地情報
【図１】
0005972858.tif 000002
【図２】
0005972858.tif 000003
【図３】
0005972858.tif 000004